(57)【要約】【課題】コストアップすることなくスミアの発生を防止しながらメカニカルシャッタの使用頻度を減らして耐久年数の延長を図る。【解決手段】シャッタボタンの半押しで画像処理回路はプレ画像を読み込み高輝度部分があるか否かのシーン判別を行い、高輝度部分がある場合には検出信号をＣＰＵに送出する。ＣＰＵはメカ駆動信号をＥＶＲ回路に送信して３Ｖの電力信号をモータドライバに出力する。高輝度部分がない場合にはＣＰＵは非メカ駆動信号をＥＶＲ回路に送信して０Ｖの電力信号をモータドライバに出力する。シャッタボタンが全押しされると、電子シャッタが駆動される。３Ｖの電力信号がモータドライバに入力されている場合、電子シャッタの駆動直後にメカニカルシャッタが駆動し、この後ＣＣＤが遮蔽される。０Ｖの電力信号がモータドライバに入力されている場合、メカニカルシャッタは駆動されない。【選択図】        図４
2006005787.tif 000002
【特許請求の範囲】
【請求項１】
撮像素子の駆動を制御することにより露光時間を制御する電子シャッタと、前記撮像素子を機械的に開閉するメカニカルシャッタとを備えた撮影装置において、
撮影画面内の平均的な輝度よりも所定輝度以上に輝度が高い高輝度部分が撮影画面内に含まれているか否かによってシーン判別を行うシーン判別部と、
このシーン判別部により撮影画面内に高輝度部分が含まれていると判断された場合には、前記電子シャッタ及びメカニカルシャッタを制御して撮影を行い、撮影画面内に高輝度部分が含まれていないと判断された場合には、前記メカニカルシャッタを駆動することなく、前記電子シャッタのみを制御して撮影を行う制御部とを設けたことを特徴とする撮影装置。
【請求項２】
撮像素子の駆動を制御することにより露光時間を制御する電子シャッタと、前記撮像素子を機械的に開閉するメカニカルシャッタとを備えた撮影装置において、
撮影画面内の平均的な輝度よりも所定輝度以上に輝度が高い高輝度部分が撮影画面内に含まれているためにスミアが発生しやすいスミア頻発時間帯を予め記憶してあるメモリと、
前記スミア頻発時間帯には、前記電子シャッタ及びメカニカルシャッタを制御して撮影を行い、前記スミア頻発時間帯を除く他の時間帯には、前記メカニカルシャッタを駆動することなく、前記電子シャッタのみを制御して撮影を行う制御部とを設けたことを特徴とする撮影装置。
【請求項３】
撮像素子の駆動を制御することにより露光時間を制御する電子シャッタと、前記撮像素子を機械的に開閉するメカニカルシャッタとを備えた撮影装置において、
季節に起因してスミアが発生しやすいスミア頻発日を予め記憶してあるメモリと、
前記スミア頻発日には、前記電子シャッタ及びメカニカルシャッタを制御して撮影を行い、前記スミア頻発日を除く他の日には、前記メカニカルシャッタを駆動することなく、前記電子シャッタのみを制御して撮影を行う制御部とを設けたことを特徴とする撮影装置。
【請求項４】
予め設定された撮影ポイントに設置され、天候を計測する天候計測器と、
この天候計測器の計測結果に基づいて撮影時の天候を判別する天候判別機器と、
撮像素子の駆動を制御することにより露光時間を制御する電子シャッタと撮像素子を機械的に開閉するメカニカルシャッタとを備え、前記撮影ポイントに直射日光が当たる天候では、前記電子シャッタ及びメカニカルシャッタを制御して撮影を行い、前記撮影ポイントに直射日光が当たらない天候では、前記メカニカルシャッタを駆動することなく、前記電子シャッタのみを制御して撮影を行う撮影装置と、
からなることを特徴とする撮影システム。
【発明の詳細な説明】
【技術分野】
【０００１】
本発明は、撮影装置及び撮影システムに関し、更に詳しくはメカニカルシャッタを備えた撮影装置及びこれを使用する撮影システムに関するものである。
【背景技術】
【０００２】
デジタルカメラに用いられているＣＣＤなどの固体撮像素子に特有の問題としてスミアがある。このスミアは、複数の撮像素子からなる受光部に不要な光が混入したり、内部で発生したノイズが、隣接した撮像素子（画素）や、受光部から蓄積電荷を読み出すための電荷転送部に混入することにより発生する画像ノイズであり、強い光が入射した時などに、撮影画像に白い縦稿となって顕著に現れるものである。
【０００３】
前記スミアを防止するため、一般にメカニカルシャッタが用いられている。すなわち、電子シャッタを駆動した直後に、メカニカルシャッタが閉じてＣＣＤを遮蔽することにより、撮影後の不要な光がＣＣＤに入射するのを防いで、スミアの発生を低減する。ところが、メカニカルシャッタを用いていても、電子シャッタを駆動してからメカニカルシャッタが実際に閉じるまでのタイムラグが大きいと、この間に入射した強い光によってスミアが発生する。これを防ぐためには、前記タイムラグを小さくすればよいが、電子シャッタとメカニカルシャッタとの連動を高精度に行う必要があり、これを実現するには、結局のところ、高精度のメカニカルシャッタを用いる必要があるため、コスト高になるという問題点がある。
【０００４】
例えば特許文献１では、露光時間中にＣＣＤを低速駆動することにより、スミア画像が大きく移動することを防止して、前記タイムラグが大きくてもスミアが目立つことを防止している。また、例えば特許文献２では、ターレット式の絞り板に連動して開閉動作する一対の遮蔽板を設け、電荷蓄積時間終了後にＣＣＤを覆うことにより、ＣＣＤに不要な光が入らないようにしている。また、例えば特許文献３では、電子シャッタとの連動をメカニカルシャッタよりも高精度に行い得る液晶シャッタを用いることにより、スミアの発生を防止している。
【０００５】
【特許文献１】特開平６−０７８２２２号公報
【特許文献２】特開平７−１１１６１６号公報
【特許文献３】特表平１０−５０９５７４公報
【発明の開示】
【発明が解決しようとする課題】
【０００６】
しかしながら、上記特許文献１，２記載のメカニカルシャッタは、周知のように磨耗などの原因により故障が発生しやすく、耐久年数が比較的短いという欠点がある。特に、近年注目されているテーマパークで営業用として設置されているデジタルカメラは、一般のデジタルカメラよりもはるかに多くの撮影が短期間の間に行われるため、耐久年数が短く、メンテナンスの手間やコストの面で問題になっている。また、上記特許文献３記載の液晶シャッタは、一般のメカニカルシャッタよりも高価であるから、これを用いた撮影装置は大幅なコストアップになるという欠点を有する。
【０００７】
本発明は、上記のような課題を解決するためになされたもので、コストアップすることなくスミアの発生を防止しながら耐久年数の延長を図った撮影装置及び撮影システムを提供することを目的とする。
【課題を解決するための手段】
【０００８】
本発明の撮影装置は、撮像素子の駆動を制御することにより露光時間を制御する電子シャッタと、前記撮像素子を機械的に開閉するメカニカルシャッタとを備えた撮影装置において、撮影画面内の平均的な輝度よりも所定輝度以上に輝度が高い高輝度部分が撮影画面内に含まれているか否かによってシーン判別を行うシーン判別部と、このシーン判別部により撮影画面内に高輝度部分が含まれていると判断された場合には、前記電子シャッタ及びメカニカルシャッタを制御して撮影を行い、撮影画面内に高輝度部分が含まれていないと判断された場合には、前記メカニカルシャッタを駆動することなく、前記電子シャッタのみを制御して撮影を行う制御部とを設けたことを特徴とする。
【０００９】
また、撮像素子の駆動を制御することにより露光時間を制御する電子シャッタと、前記撮像素子を機械的に開閉するメカニカルシャッタとを備えた撮影装置において、撮影画面内の平均的な輝度よりも所定輝度以上に輝度が高い高輝度部分が撮影画面内に含まれているためにスミアが発生しやすいスミア頻発時間帯を予め記憶してあるメモリと、前記スミア頻発時間帯には、前記電子シャッタ及びメカニカルシャッタを制御して撮影を行い、前記スミア頻発時間帯を除く他の時間帯には、前記メカニカルシャッタを駆動することなく、前記電子シャッタのみを制御して撮影を行う制御部とを設けたことを特徴とする。
【００１０】
また、撮像素子の駆動を制御することにより露光時間を制御する電子シャッタと、前記撮像素子を機械的に開閉するメカニカルシャッタとを備えた撮影装置において、黄道高さに起因してスミアが発生しやすいスミア頻発日を予め記憶してあるメモリと、前記スミア頻発日には、前記電子シャッタ及びメカニカルシャッタを制御して撮影を行い、前記スミア頻発日を除く他の日には、前記メカニカルシャッタを駆動することなく、前記電子シャッタのみを制御して撮影を行う制御部とを設けたことを特徴とする。
【００１１】
本発明の撮影システムは、予め設定された撮影ポイントに設置され、天候を計測する天候計測器と、この天候計測器の計測結果に基づいて撮影時の天候を判別する天候判別機器と、撮像素子の駆動を制御することにより露光時間を制御する電子シャッタと撮像素子を機械的に開閉するメカニカルシャッタとを備え、前記撮影ポイントに直射日光が当たる天候では、前記電子シャッタ及びメカニカルシャッタを制御して撮影を行い、前記撮影ポイントに直射日光が当たらない天候では、前記メカニカルシャッタを駆動することなく、前記電子シャッタのみを制御して撮影を行う撮影装置とからなることを特徴とする。
【発明の効果】
【００１２】
本発明の撮影装置によれば、シーン判別部により撮影画面内に高輝度部分が含まれていると判断された場合には、電子シャッタ及びメカニカルシャッタを制御して撮影を行い、撮影画面内に高輝度部分が含まれていないと判断された場合には、メカニカルシャッタを駆動することなく電子シャッタのみを制御して撮影を行うので、スミアの発生を防止しながらメカニカルシャッタの使用頻度を減らすことができ、耐久年数の延長を図ることができる。
【００１３】
また、スミア頻発時間帯を予め記憶しておき、スミア頻発時間帯には電子シャッタ及びメカニカルシャッタを制御して撮影を行い、スミア頻発時間帯を除く他の時間帯には、メカニカルシャッタを駆動することなく電子シャッタのみを制御して撮影を行うので、スミアの発生を防止しながらメカニカルシャッタの使用頻度を減らすことができ、耐久年数の延長を図ることができる。
【００１４】
また、季節に起因してスミアが発生しやすいスミア頻発日を予め記憶しておき、スミア頻発日には、電子シャッタ及びメカニカルシャッタを制御して撮影を行い、スミア頻発日を除く他の日には、メカニカルシャッタを駆動することなく電子シャッタのみを制御して撮影を行うので、スミアの発生を防止しながらメカニカルシャッタの使用頻度を減らすことができ、耐久年数の延長を図ることができる。
【００１５】
本発明の撮影システムによれば、天候計測器を撮影ポイントに設置し、天候判別機器が撮影ポイントに直射日光が当たる天候であると判別した際には、電子シャッタ及びメカニカルシャッタを制御して撮影を行い、撮影ポイントに直射日光が当たらない天候であると判別した際には、メカニカルシャッタを駆動することなく電子シャッタのみを制御して撮影を行うので、スミアの発生を防止しながらメカニカルシャッタの使用頻度を減らすことができ、耐久年数の延長を図ることができる。
【発明を実施するための最良の形態】
【００１６】
本発明を適用した撮影装置としての第１実施形態であるデジタルカメラの外観を正面側から示す図１において、デジタルカメラ１０の前面には、撮影レンズ１２、ファインダ窓１４、ストロボ発光部１５及び調光センサ１７が設けられ、カメラ上面には、シャッタボタン１８及び電源スイッチ２０が配設されている。また、左手側のカメラ側面には、メモリカード２２を装着するためのカードスロット２３が設けられている。このカードスロット２３は、防塵用の蓋２４によって開閉自在に閉じられる。
【００１７】
撮影レンズ１２にはズームレンズが適用され、撮影レンズ１２の後方にＣＣＤイメージセンサ（以下ＣＣＤという）２７（図３参照）が配置されている。シャッタボタン１８は２段階式に構成され、シャッタボタン１８を軽く押して止める「半押し」の状態でＡＦ及び自動露出制御（ＡＥ）が作動してＡＦとＡＥをロックし、「半押し」から更に押し込む「全押し」の状態で撮影が実行される。
【００１８】
電源スイッチ２０は、モード切換スイッチと兼用されており、電源ＯＦＦとなる「ＯＦＦ位置」、静止画撮影モードで電源ＯＮとなる「撮影ＯＮ位置」、及び再生モードで電源ＯＮとなる「再生ＯＮ位置」の３ポジションを切り換えることができる。
【００１９】
デジタルカメラ１０の背面側の外観を示す図２において、デジタルカメラ１０の背面には、ファインダ接眼窓２８、液晶モニタ（ＬＣＤ）３０、ズームスイッチ３２、多機能の十字ボタン３４、ＡＥロックボタン３６、メニューキー３８、実行キー４０及びキャンセルキー４２が設けられている。ＬＣＤ３０は、撮影時に画角確認用の電子ファインダとして使用できるとともに、撮影した画像のプレビュー画やメモリカード２２から読み出した再生画像等を表示可能な表示手段である。また、十字ボタン３４を使用したメニューの選択や各メニューにおける各種項目の設定などもＬＣＤ３０の表示画面を用いて行われる。
【００２０】
ズームスイッチ３２は、上下方向に操作可能なレバースイッチで構成され、これを上方向に操作することで望遠（TELE）方向にズーミングを行い、下方向に操作することで広角（WIDE）方向にズーミングを行う。十字ボタン３４は、上下左右のいずれかの縁部を押圧することによって、対応する４方向（上、下、左、右）の指示を入力できるようにしたもので、メニュー画面における各種設定項目の選択や設定内容の変更を指示する操作ボタンとして使用されるとともに、電子ズームの倍率調整や再生コマの送り／戻しを指示する手段として用いられる。
【００２１】
メニューキー３８は、各モードの通常画面からメニュー画面へ遷移させる時に使用される。実行キー４０は、選択内容の確定、処理の実行（確認）指示の時などに使用される。キャンセルキー４２は、メニューから選んだ項目の取消（キャンセル）や一つ前の操作状態に戻る時などに使用される。
【００２２】
撮影者は、ファインダ接眼窓２８又はＬＣＤ３０に映し出されるリアルタイム画像（スルー画）を確認しながら、ズームスイッチ３２を操作して画角を決定し、シャッタボタン１８を押し下げて撮影を行う。
【００２３】
デジタルカメラ１０の電気的構成を示す図３において、撮影レンズ１２は、ズームレンズ４４，絞り４６，フォーカスレンズ４８，メカニカルシャッタ５０から構成されている。これらは、ズーミングを行うズームモータ５２，絞り調整を行う絞り用モータ５３，焦点調整を行うフォーカス用モータ５４，メカニカルシャッタ５０を駆動するシャッタ用モータ５５によってそれぞれ駆動される。
【００２４】
モータ５２〜５５は、モータドライバ５７〜６０を介して、ＣＰＵ６２に接続されており、ＣＰＵ６２がモータドライバ５７〜６０を介してモータ５２〜５５の各々を駆動制御する。なお、シャッタ用モータ５５を駆動するモータドライバ６０とＣＰＵ６２との間には、メカニカルシャッタ５０を駆動するか否かの制御を行うＥＶＲ回路９０が設けられている。このＥＶＲ回路９０については後述する。
【００２５】
また、ＣＰＵ６２は、操作部６１から入力される操作信号に応じてデジタルカメラ１０の本体各部を制御する。操作部６１は、シャッタボタン１８，電源スイッチ２０，ズームスイッチ３２，多機能の十字ボタン３４，ＡＥロックボタン３６，メニューキー３８，実行キー４０及びキャンセルキー４２などからなる。また、ＣＰＵ６２は、ストロボ装置６３を制御し、ストロボ発光部１５を必要に応じて発光させる。
【００２６】
撮影レンズ１２の背後には、前記ＣＣＤ２７が配置されている。撮影レンズ１２を通過した光は、絞り４６により光量が調節された後、ＣＣＤ２７に入射する。ＣＣＤ２７は、周知のように、多数の受光素子をマトリックス状に配列することにより光電面を備えており、撮影光学系を通過し、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００２７】
ＣＣＤ２７は、ＣＣＤドライバ６４から供給される垂直転送クロック及び水平転送クロックに同期して、画素毎に蓄積された電荷を１ラインずつシリアルな撮像信号として出力する。各画素の電荷蓄積時間（露出時間）は、ＣＣＤドライバ６４から与えられる電子シャッタ駆動信号によって決められる。
【００２８】
メカニカルシャッタ５０は、本撮影時に、ＣＣＤ２７と同期して作動する。ＣＣＤ２７では、太陽光などの強い光が光電面に入射すると、電荷の垂直転送が行われる縦方向にスジが生じるスミアと呼ばれる現象が発生する。メカニカルシャッタ５０は、通常は開放されているが、電子シャッタが駆動した直後に閉じて光電面に入射する光を遮ることにより、スミアの発生を防止する。ＣＣＤドライバ６４には、モータドライバ６０と同様に、タイミングジェネレータ（ＴＧ）６６からタイミング信号が入力され、このタイミング信号により、ＣＣＤ２７とメカニカルシャッタ５０との間で同期が取られる。
【００２９】
ＣＣＤ２７から取り込まれたアナログの撮像信号は、アナログ信号処理回路６８に入力される。アナログ信号処理回路６８は、相関２重サンプリング回路（ＣＤＳ）と、オートゲインコントローラ（ＡＧＣ）と、ＡＤコンバータ（ＡＤＣ）とからなる。ＣＤＳは、アナログ信号のノイズを除去し、ＡＧＣはアナログ信号のゲインを自動調節する。ＡＤＣは、アナログ信号をデジタル変換して画像データを生成する。この画像データは、各画素毎にＲ，Ｇ，Ｂの濃度値を持つＣＣＤ−ＲＡＷデータであり、このＣＣＤ−ＲＡＷデータがＤＳＰ（Digital Signal Processor）７０へ入力される。アナログ信号処理回路６８にも、ＴＧ６６からのタイミング信号が供給され、ＣＣＤ２７から電荷が取り込みまれるタイミングと同期が取られている。
【００３０】
ＤＳＰ７０は、ＡＦ回路７２，ＡＥ／ＡＷＢ回路７４，画像入力コントローラ７６，画像処理回路７８，圧縮処理回路８０，メディアコントローラ８２，ビデオエンコーダ８４からなるＩＣチップであり、アナログ信号処理回路６８から入力された画像データに対して、各種の信号処理を施すとともに、スルー画のＬＣＤ３０への表示や、メモリカード２２へアクセスして画像ファイルの読み書きを行う。
【００３１】
画像入力コントローラ７６は、アナログ信号処理回路６８からＣＣＤ−ＲＡＷデータを取り込んで、これをフレームメモリ８６に書き込む。フレームメモリ８６は、ＤＳＰ７０が画像データに対して各種信号処理を施す際に使用する作業用メモリである。フレームメモリ８６は、データバス８８を介して、ＣＰＵ６２とＤＳＰ７０の各部と接続されている。フレームメモリ８６としては、例えば、一定周期のバスクロック信号に同期してデータ転送を行うＳＤＲＡＭ（Synchronous Dynamic Random Access Memory）が使用される。
【００３２】
ＣＣＤ２７から取り込まれる画像データには、スルー画及び本画像の他に、プレ画像がある。スルー画は、上述したとおりフレーミングに利用される確認用の画像であり、撮影モードが選択されている間、所定間隔で撮像される。スルー画は、ビデオエンコーダ８４によってコンポジット信号に変換されてＬＣＤ３０に出力される。プレ画像は、プレ撮影によって得られる画像である。プレ撮影とは、本画像を撮影する前に行われ本画像を撮影する際の撮影条件を決定するための撮影をいう。
【００３３】
ＣＰＵ６２は、シャッタボタン１８が半押しされると半押し信号を検出し、ＣＣＤ２７にプレ撮影を実行させる。得られたプレ画像は、ＤＳＰ７０を介していったんフレームメモリ８６へ書き込まれる。このプレ画像に基づいて、ＡＦ回路７２及びＡＥ／ＡＷＢ回路７４が撮影条件を決定する。
【００３４】
ＡＦ回路７２は、プレ画像に基づいて、焦点位置を検出し、フォーカシングを行う。焦点検出方式としては、例えば、ピントが合った状態では画像のコントラストが高くなるという特徴を利用して合焦位置を検出するパッシブ方式が採用されている。
【００３５】
ＡＥ／ＡＷＢ回路７４のＡＥ回路は、前記ＣＣＤ−ＲＡＷデータに基づいて、被写体輝度を測定し、絞り値やシャッタ速度等を決定する。ＡＷＢ回路は、オートホワイトバランス回路であり、撮影時のホワイトバランスを自動調整する。
【００３６】
シャッタボタン１８が全押しされると本撮影が実行されて、本画像が取り込まれる。本画像の画素数は、ＣＣＤ２７の画素数によって最大画素数が決定されるが、ファイン、ノーマルなどの設定により、記録画素数を変更することができる。スルー画やプレ画像の画像数は、本画像よりも少なく、例えば、本画像の１／１６程度の画素数で取り込まれる。
【００３７】
圧縮処理回路８０は、画像処理回路７８によって各種の画像処理が施された本画像のデータに対して、例えば、ＪＰＧなどの圧縮形式で圧縮処理を施して、画像ファイルを生成する。この画像ファイル生成時に、付帯情報が各タグ内に格納される。メディアコントローラ８２は、メモリカード２２へアクセスして画像ファイルの書き込みと読み込みとを行う。再生モードにおいては、メモリカード２２から圧縮された画像データが読み出されて、圧縮処理回路８０によって伸張処理が施された後、ＬＣＤ３０に出力される。
【００３８】
画像処理回路７８は、画像データに対して、ガンマ補正，シャープネス補正，コントラスト補正などの画質補正処理、ＣＣＤ−ＲＡＷデータを輝度信号であるＹデータと、青色色差信号であるＣｂデータ及び赤色色差信号であるＣｒデータとからなるＹＣデータに変換するＹＣ処理を施す。
【００３９】
更に、画像処理回路７８は、Ｙデータに基づいて、撮影画面内の平均輝度を算出するとともに、この平均輝度よりも輝度が３ＥＶ以上高い高輝度部分が撮影画面内に存在するか否かのシーン判別を行う。そして、高輝度部分が存在する場合には、この検出信号をＣＰＵ６２に送る。撮影画面内に高輝度部分がある場合には、スミアの発生する確率が高いので、ＣＰＵ６２は、メカニカルシャッタ５０を駆動して本撮影を行う。撮影画面内に高輝度部分がない場合には、ＣＰＵ６２は、メカニカルシャッタ５０を駆動することなく、電子シャッタのみを使用して本撮影を行う。これにより、常にメカニカルシャッタ５０を使用する場合と比較してメカニカルシャッタ５０の寿命が延び、デジタルカメラ１０の耐久年数を延ばすことができる。
【００４０】
ＣＰＵ６２は、メカニカルシャッタ５０を駆動する場合と駆動しない場合のそれぞれに対応するメカ駆動信号，非メカ駆動信号をＥＶＲ回路９０に送信する。ＥＶＲ回路９０は、この回路内に設けられたＤ／Ａ変換器により、取得した信号をデジタル信号からアナログ信号に変換する。ＥＶＲ回路９０は、電子ボリューム回路であり、所定の電圧範囲内で電圧値を変化させて出力する。
【００４１】
ＥＶＲ回路９０は、非メカ駆動信号を受信した場合には、０Ｖの電力信号をモータドライバ６０に出力し、メカ駆動信号を受信した場合には、メカニカルシャッタ５０の駆動電圧、例えば、３Ｖの電力信号をモータドライバ６０に出力する。モータドライバ６０は、ＴＧ６６からのクロックパルスと、ＥＶＲ回路９０からの電力信号とに基づいてシャッタ用モータ５５を制御する。
【００４２】
ＣＰＵ６２は、ＡＥ／ＡＷＢ回路７４のＡＥ回路から出力された測光データに基づいて、モータドライバ５８を介してモータ５３を制御して絞り４６を駆動し、さらに、測光データに基づいて電子シャッタの速度を制御することにより、撮影条件が最適となるように露光調整を行う。電子シャッタの速度制御は、ＣＰＵ６２がＣＣＤドライバ６４を介してＣＣＤ２７の各画素の電荷蓄積時間を調節することにより行われる。
【００４３】
このように構成されたデジタルカメラ１０を用いて撮影を行うには、まず電源スイッチ２０を撮影ＯＮ位置に移動して静止画撮影モードにセットする。撮影者は、ファインダ接眼窓２８、またはＬＣＤ３０に表示されたスルー画により被写体のフレーミングを行う。この後、図４に示すように、シャッタボタン１８の半押し操作を行うと（ｓｔ１）、プレ撮影が行われてプレ画像が取り込まれ、フレームメモリ８６に書き込まれる。ＡＦ回路７２及びＡＥ／ＡＷＢ回路７４は、このプレ画像を読み出して、焦点位置と露出値などの撮影条件を決定する。この撮影条件に基づいてピント調節や絞り調節が行われる（ｓｔ２）。
【００４４】
また、画像処理回路７８は、前記プレ画像を読み込んで、高輝度部分があるか否かのシーン判別を行う。高輝度部分がある場合には、その検出信号をＣＰＵ６２に送出し（ｓｔ３）、ＣＰＵ６２はメカ駆動信号をＥＶＲ回路９０に送信する。これにより、ＥＶＲ回路９０は、３Ｖの電力信号をモータドライバ６０に出力する（ｓｔ４）。また、高輝度部分が検出されない場合には、ＣＰＵ６２は、非メカ駆動信号をＥＶＲ回路９０に送信する。これにより、ＥＶＲ回路９０は、０Ｖの電力信号をモータドライバ６０に出力する（ｓｔ５）。
【００４５】
シャッタボタン１８が離されたら（ｓｔ６）最初の処理に戻り、再びシャッタボタン１８が半押しされるまで待機状態となる。シャッタボタン１８が半押しの状態のままであれば、シャッタボタン１８が全押しされるまで待機状態となる。
【００４６】
シャッタボタン１８が全押しされると（ｓｔ７）、前記露出値に基づいて絞り４６が駆動され、更に電子シャッタが駆動される。３Ｖの電力信号がモータドライバ６０に入力されている場合には（ｓｔ８）、電子シャッタが駆動された直後に、メカニカルシャッタ５０が駆動され、ＣＣＤ２７が遮蔽される（ｓｔ９）。また、０Ｖの電力信号がモータドライバ６０に入力されている場合には、メカニカルシャッタ５０は駆動されない（ｓｔ１０）。
【００４７】
ＣＣＤ２７は、本画像を取り込み、この画像データをフレームメモリ８６へ書き込む。この画像データは、画像処理回路７８によって各種の画像処理が施された後、圧縮処理回路８０によって所定形式で圧縮処理され、画像ファイルとしてメディアコントローラ８２を介してメモリカード２２に書き込まれる。
【００４８】
このように、撮影画面内に高輝度部分がないシーンでは、スミアが発生するおそれがないため、メカニカルシャッタ５０を使用せずに撮影を行う。この結果、メカニカルシャッタ５０を駆動する回数が少なくなり、メカニカルシャッタ５０が磨耗等によって故障するまでの時間が延びる。すなわち、デジタルカメラ１０の耐久年数を延ばすことができる。
【００４９】
なお、高輝度部分と平均輝度との輝度差（閾値）を３ＥＶとしたが、この閾値は３ＥＶに限定されず、またシャッタ速度等の撮影条件によって変化させるようにしてもよい。すなわち、シャッタ速度が速くなる（被写体輝度が高くなる）ほど、閾値を低くしてメカニカルシャッタの使用頻度を上げるのが好ましい。
【００５０】
次に、本発明の第２実施形態を示す図５において、デジタルカメラ１００は、テーマパークに設置してあり、パーソナルコンピュータ（ＰＣ）１０２によって制御され、アトラクションに参加した来場者を自動的に撮影する。テーマパークにて一日のうちスミアが発生しやすい時間帯を予め計測して求めておく。
【００５１】
例えば、開園時刻９：００から１１：００までは、太陽が施設に隠れるため、直射日光がデジタルカメラ１００の撮影レンズ１０４に入ることがなく、スミアが発生するおそれがない。１１：００から夕方の１６：００までは、直射日光がデジタルカメラ１００の撮影レンズ１０４に入るから、スミアが発生しやすい。そして、１６：００から日没の１９：００までは、直射日光が撮影レンズ１０４に入ることはないが、被写体からの反射光が撮影レンズ１０４に入り、スミアが発生しやすい。また、１９：００から閉園時刻２１：００までは、太陽が出ていないからスミアが発生するおそれはない。
【００５２】
すなわち、スミア頻発時間帯は、１１：００から１９：００までとなり、この開始時刻１１：００と終了時刻１９：００とをデジタルカメラ１００の内蔵メモリ１０６に予め記憶しておく。また、テーマパークの開園時刻９：００と閉園時刻２１：００はＰＣ１０２のハードディスク（ＨＤＤ）に記憶しておく。
【００５３】
テーマパークの開園前にＰＣ１０２を立ち上げておく。図６に示すように、ＰＣ１０２は、開園時刻９：００になると、デジタルカメラ１００の電源をオンにする。デジタルカメラ１００のＣＰＵは、内蔵した時計を常時監視しており、電源がオンになってからスミア頻発時間帯の開始時刻１１：００までは、メカニカルシャッタ１０８は使用せずに、電子シャッタのみを駆動して撮影を行う。
【００５４】
また、開始時刻１１：００から終了時刻１９：００までのスミア頻発時間帯では、メカニカルシャッタ１０８を使用して撮影を行い、終了時刻１９：００を経過してからは、メカニカルシャッタ１０８は使用せずに、電子シャッタのみを駆動して撮影を行う。この撮影された画像データは、ＰＣ１０２のハードディスク（ＨＤＤ）に記憶される。そして、閉園時刻２１：００になると、ＰＣ１０２が自動的にデジタルカメラ１００の電源をオフにする。
【００５５】
次に、本発明の第３実施形態を示す図７において、アトラクションのポイント近辺で撮影範囲に入らない位置に照度計１１０と雨量計１１２を設置してある。これら照度計１１０と雨量計１１２から得られる照度情報と雨量情報とからなる天候情報は、常にＰＣ１０２に入力される。なお、上記第２実施形態と同じ部材には、同じ符号を付して説明を省略する。
【００５６】
ＰＣ１０２は、前記天候情報に基づいてデジタルカメラ１００を制御する。図８に示すように、ＰＣ１０２が雨量がゼロでかつ照度が高い天候情報から晴天であると判断した場合には、デジタルカメラ１００のメカニカルシャッタ１０８を駆動して撮影を行い、曇天（雨量はないが照度が低い）や雨天（雨量がある）と判断した場合には、メカニカルシャッタ１０８を駆動せずに電子シャッタのみを駆動して撮影を行う。
【００５７】
なお、天候情報を検知する手段としては、照度計や雨量計に限らず、温度計を用いて、太陽光が当たる日向での温度と太陽光が当たらない日陰での温度とをそれぞれ測定してもよい。そして、日向と日陰の温度差を算出して、例えばこの差が大きい場合には晴天であり、前記差が少ない場合には曇天であり、また前記差が全くない場合には雨天と判断する。
【００５８】
次に、本発明の第４実施形態を示す図９において、季節毎に黄道高さが大きく変化するため、テーマパークにおいて直射日光や反射光が撮影レンズに入りやすくスミアが発生しやすい期間がある。このスミア頻発期間を予め調べておき、このスミア頻発期間をデジタルカメラのメモリに記憶しておく。そして、デジタルカメラに内蔵された時計から撮影当日の日付が分かるから、撮影当日がスミア頻発期間中であるか否かが分かる。スミア頻発期間中には、デジタルカメラのメカニカルシャッタを駆動して撮影を行い、スミア頻発期間を除く他の期間では、メカニカルシャッタを駆動せずに電子シャッタのみを駆動して撮影を行う。
【００５９】
なお、上記第１〜第４実施形態は、それぞれ個別に説明したが、適宜組み合わせることもできる。
【図面の簡単な説明】
【００６０】
【図１】本発明の第１実施形態であるデジタルカメラの外観を正面側から示す斜視図である。
【図２】デジタルカメラの外観を背面側から示す斜視図である。
【図３】デジタルカメラの電気的な構成を示すブロック図である。
【図４】デジタルカメラの主なシーケンスを示すフローチャートである。
【図５】第２実施形態の構成を示す説明図である。
【図６】第２実施形態の主なシーケンスを示すフローチャートである。
【図７】第３実施形態の構成を示す説明図である。
【図８】第３実施形態の主なシーケンスを示すフローチャートである。
【図９】第４実施形態の主なシーケンスを示すフローチャートである。
【符号の説明】
【００６１】
１０，１００  デジタルカメラ
１２，１０４  撮影レンズ
２７  ＣＣＤ
５０，１０８  メカニカルシャッタ
６２  ＣＰＵ
７８  画像処理回路
１０２  パーソナルコンピュータ
１０６  内蔵メモリ
１１０  照度計
１１２  雨量計
【図１】
2006005787.tif 000003
【図２】
2006005787.tif 000004
【図３】
2006005787.tif 000005
【図４】
2006005787.tif 000006
【図５】
2006005787.tif 000007
【図６】
2006005787.tif 000008
【図７】
2006005787.tif 000009
【図８】
2006005787.tif 000010
【図９】
2006005787.tif 000011